(57)【要約】【課題】  複数の楽曲を連続して再生する際に、楽曲のコード情報や楽曲のテンポの連続性を考慮して楽曲コンテンツを再生することができる記録再生装置を提供する。【解決手段】  記録媒体から音楽データを取得する音楽データ取得手段と、前記音楽データを保存するデータ記録手段と、前記データ記録手段から音楽データを読み出して再生する再生手段と、前記再生手段で再生している音楽のコード情報を検出するコード情報検出手段と、前記コード情報検出手段の検出結果に基づいて次曲で再生する音楽を前記データ記録手段から選曲する選曲手段とを備えて構成する。【選択図】  図６
2008052786.tif 000002
【特許請求の範囲】
【請求項１】
記録媒体から音楽データを取得する音楽データ取得手段と、
前記音楽データを保存するデータ記録手段と、
前記データ記録手段から音楽データを読み出して再生する再生手段と、
前記再生手段で再生している音楽データのコード情報を検出するコード情報検出手段と、
前記コード情報検出手段の検出結果に基づいて次曲に再生する音楽データを前記データ記録手段から選曲する選曲手段と、を備えたことを特徴とする記録再生装置。
【請求項２】
記録媒体から音楽データを取得する音楽データ取得手段と、
前記音楽データを保存するデータ記録手段と、
前記データ記録手段から音楽データを読み出して再生する再生手段と、
前記再生手段で再生している音楽のコード情報及びテンポ情報を検出する音楽情報検出手段と、
前記音楽情報検出手段の検出結果に基づいて次曲に再生する音楽を前記データ記録手段から選曲する選曲手段と、を備えたことを特徴とする記録再生装置。
【請求項３】
記録媒体から音楽データと前記音楽データのコード情報を同時に取得する音楽データ情報取得手段と、
前記音楽データ情報取得手段で取得した前記音楽データと前記コード情報を保存する情報記録手段と、
前記情報記録手段から音楽データを読み出して再生する再生手段と、
前記再生手段で再生している音楽データの前記コード情報から次曲を選曲する選曲手段と、
を備えたことを特徴とする記録再生装置。
【請求項４】
記録媒体から音楽データと前記音楽データのコード情報及びテンポ情報を取得する音楽データ情報取得手段と、
前記音楽データ情報取得手段で取得した前記音楽データと前記コード情報及び前記テンポ情報を保存する情報記録手段と、
前記情報記録手段から音楽データを読み出して再生する再生手段と、
前記再生手段で再生している音楽データの前記コード情報及びテンポ情報から次曲を選曲する選曲手段と、
を備えたことを特徴とする記録再生装置。
【請求項５】
前記記録再生装置は、前記再生手段で再生している音楽の前記コード情報の変化を検出するコード情報変化手段と、
前記コード情報変化手段で検出されたコード情報の変化から次に遷移するコード情報を予測するコード情報予測手段とを備え、
前記コード情報予測手段で予測されたコード情報に基づき前記選曲手段を用いて選曲することを特徴とする請求項１から請求項４のいずれか一項に記載の記録再生装置。
【請求項６】
前記記録再生装置は、予め遷移すべきコード情報が決められたコード情報テーブルを備え、前記再生手段で再生している音楽の次に再生する音楽を前記コード情報テーブルに基づいて前記選曲手段を用いて選曲することを特徴とする請求項１から請求項５のいずれか１項に記載の記録再生装置。
【請求項７】
音楽が記録された記録媒体から音楽データを取得して保存すると共に、保存された音楽データを読み出して再生する際に、再生している音楽のコード情報を検出して前記再生し
ている音楽に類似した音楽を次曲として選曲するように構成された記録再生装置の集積回路。
【発明の詳細な説明】
【技術分野】
【０００１】
本発明は、コンテンツを連続再生することによって、ユーザーオリジナルのコンテンツのメドレー再生を実現する記録再生装置に関する。
【背景技術】
【０００２】
近年、複数の楽曲コンテンツを連続再生するために、フェードアウト、フェードイン、クロスフェード等を用いて違和感なく楽曲コンテンツを接続して再生することが知られている（例えば、特許文献１参照）。
【特許文献１】特開平９−２３０８８０号公報
【発明の開示】
【発明が解決しようとする課題】
【０００３】
しかしながら、複数の楽曲コンテンツを再生する場合には、接合方式、クロスフェード方式、ブリッジ方式等を用いて連続再生を行っているが、２つの曲の終了区間と開始区間、すなわち、現在再生している音楽の終了区間（曲の終了部分）と次曲に再生する開始区間（曲の始まりの部分）のコード情報（キー）が異なると、接合方式、クロスフェード方式、ブリッジ方式等を用いて接続してもコード情報の連続性がなく、違和感を生じた状態で再生してしまう恐れがあった。
また、再生する楽曲のテンポを考慮していないため、例えば、スローテンポの楽曲の後につながりの無いアップテンポの楽曲が連続的に再生してしまう恐れがあった。
【０００４】
そこで本発明は、複数の楽曲を連続して再生する際に、楽曲のコード情報や楽曲のテンポの連続性を考慮して楽曲コンテンツを再生することができる記録再生装置を提供する。
【課題を解決するための手段】
【０００５】
本発明の記録再生装置は、記録媒体から音楽データを取得する音楽データ取得手段と、前記音楽データを保存するデータ記録手段と、前記データ記録手段から音楽データを読み出して再生する再生手段と、前記再生手段で再生している音楽データのコード情報を検出するコード情報検出手段と、前記コード情報検出手段の検出結果に基づいて次曲に再生する音楽データを前記データ記録手段から選曲する選曲手段と、を備えた構成を有している。
【０００６】
このように構成された本発明の記録再生装置は、記録媒体から音楽データを音楽データ取得手段を用いてデータ記録手段に保存し、データ記録手段に保存された音楽データを再生手段で再生しているときに、コード情報検出手段を用いてコード情報を検出して、検出したコード情報から再生している音楽が終了した後に再生する音楽を選曲するように構成しているので、再生している音楽が終了した後も再生していた音楽に類似したコード情報を持った音楽を自動的に選曲して再生することができる。
【０００７】
また、本発明の記録再生装置は、記録媒体から音楽データを取得する音楽データ取得手段と、前記音楽データを保存するデータ記録手段と、前記データ記録手段から音楽データを読み出して再生する再生手段と、前記再生手段で再生している音楽のコード情報及びテンポ情報を検出する音楽情報検出手段と、前記音楽情報検出手段の検出結果に基づいて次曲に再生する音楽を前記データ記録手段から選曲する選曲手段と、を備えた構成を有している。
【０００８】
このように構成された記録再生装置は、記録媒体から音楽データを取り込むと共にデータ記録手段に音楽データを記録し、データ記録手段に記録された音楽データを再生手段を用いて再生し、そして再生している音楽のコード情報及びテンポ情報を音楽情報検出手段で検出して、検出結果に基づいて次に再生する音楽データ（音楽）をデータ記録手段から選曲するので、現在再生している音楽が終了した後、現在再生している音楽に類似したコード情報及びテンポ情報を持った音楽を自動的に選曲して再生することができる。
【０００９】
また、本発明の記録再生装置は、記録媒体から音楽データと前記音楽データのコード情報を同時に取得する音楽データ情報取得手段と、前記音楽データ情報取得手段で取得した前記音楽データと前記コード情報を保存する情報記録手段と、前記情報記録手段から音楽データを読み出して再生する再生手段と、前記再生手段で再生している音楽データの前記コード情報から次曲を選曲する選曲手段と、を備えて構成されている。
【００１０】
このように構成された記録再生装置は、音楽データ情報取得手段を用いて記録媒体から音楽データとこの音楽データのコード情報を同時に取得して情報記録手段に記録して再生手段を用いて再生し、再生している音楽が終了した後に再生する音楽を選曲手段を用いて自動的に選曲するので、現在再生している音楽のコード情報に類似している音楽を自動的に選曲することができる。
【００１１】
また、本発明の記録再生装置は、記録媒体から音楽データと前記音楽データのコード情報及びテンポ情報を取得する音楽データ情報取得手段と、前記音楽データ情報取得手段で取得した前記音楽データと前記コード情報及び前記テンポ情報を保存する情報記録手段と、
前記情報記録手段から音楽データを読み出して再生する再生手段と、前記再生手段で再生している音楽データの前記コード情報及びテンポ情報から次曲を選曲する選曲手段と、を備えて構成されている。
【００１２】
このように構成された記録再生装置は、記録媒体から音楽データとこの音楽データのコード情報とテンポ情報とを音楽データ情報取得手段で取得すると共に情報記録手段に記録して、再生手段を用いて再生することができ、また再生している音楽のコード情報及びテンポ情報から選曲手段が次曲に再生する音楽を自動的に選曲することができるので、現在再生している音楽が終了しても、現在再生している音楽に類似したコード情報及びテンポ情報を持った音楽データを選択して音楽を再生することができる。
【００１３】
また、本発明の前記記録再生装置は、前記再生手段で再生している音楽の前記コード情報の変化を検出するコード情報変化手段と、前記コード情報変化手段で検出されたコード情報の変化から次に遷移するコード情報を予測するコード情報予測手段とを備え、前記コード情報予測手段で予測されたコード情報に基づき前記選曲手段を用いて選曲するように構成されている。
【００１４】
このように構成された記録再生装置は、再生手段で再生している音楽のコード情報の変化をコード情報変化手段で検出し、このコード情報変化手段でコード情報の変化を検出すると次に遷移するコード情報をコード情報予測手段で予測することができるので、コード情報予測手段で予測された遷移するコード情報に基づいて次に再生する音楽を自動的に選曲手段が選曲することができる。
【００１５】
また、本発明の記録再生装置は、予め遷移すべきコード情報が決められたコード情報テーブルを備え、前記再生手段で再生している音楽の次に再生する音楽を前記コード情報テーブルに基づいて前記選曲手段を用いて選曲するように構成されている。
【００１６】
このように構成された記録再生装置は、コード情報テーブルを予め備えているので、再生している音楽のコード情報とコード情報テーブルとを比較することで、次に再生する音楽を選曲手段を用いて自動的に選曲して再生することができる。
【００１７】
また、本発明の記録再生装置の集計回路は、音楽が記録された記録媒体から音楽データを取得して保存すると共に、保存された音楽データを読み出して再生する際に、再生している音楽のコード情報を検出して前記再生している音楽に類似した音楽を次曲として選曲するように構成されている。
【００１８】
また、本発明の記録再生装置の集計回路は、音楽が記録された記録媒体から音楽データを取得して保存すると共に、保存された音楽データを読み出して再生する際に、再生している音楽のコード情報及びテンポ情報を検出して前記再生している音楽に類似した音楽を次曲として選曲するように構成されている。
さらに、本発明の記録再生装置の集計回路は、音楽が記録された記録媒体から音楽データと前記音楽のコード情報を同時に取得して保存すると共に、保存された音楽データを読み出して再生する際に、再生している音楽のコード情報及びテンポ情報から次に再生する音楽が類似したコード情報及びテンポ情報を選曲して再生するように構成されている。
【発明の効果】
【００１９】
このように本発明の記録再生装置は、再生している音楽のコード情報、テンポ情報に基づいて次に再生する音楽を選択することができ、現在再生している音楽と類似した音楽を自動的に選択して再生することができる。
【００２０】
また、記録媒体から音楽データを取得する際に、コード情報及び／又はテンポ情報も一緒に記録手段に保存することで、再生手段を用いて音楽を再生しているときに、現在再生している音楽に近似しているコード情報及びテンポ情報を有した音楽を自動的に選曲して再生するので違和感がない連続した音楽を楽しむことができる。
【発明を実施するための最良の形態】
【００２１】
次に、本発明の実施するための最良の形態について図面を用いて詳細に説明する。
（第１の実施の形態）  
図１は、第１の実施の形態における記録再生装置の構成を示すブロック図である。
【００２２】
図１に示すように、第１の実施の形態の記録再生装置Ｐは、記録再生装置Ｐを制御する制御部１と、データ記録部６に保存された音楽データを再生する再生部２と、音楽が保存ざれた記録媒体から音楽データを取得する取得部３と、再生部２で再生してい音楽データからコード情報を抽出するコード抽出部４と、コード抽出部４で抽出されたコード進行に基づいて次に再生する音楽データを選曲する選曲部５と、音楽データとコード抽出部４で抽出したコード情報を保存するデータ記録部６等で構成されている。
【００２３】
ここで、制御部１は、記録再生装置Ｐを制御するように構成されたものであり、特に、再生部２、取得部３、コード抽出部４、選曲部５、データ記録部６の動作を制御することができるように構成されている。
【００２４】
再生部２は、データ記録部６に保存（記録）されている音楽データを読み出し再生することができるように構成されている。
取得部３は、記録媒体（ＣＤ，ＤＶＤ，ＨＤＤオーディオ、フラッシュメモリ等）から音楽データを取得することができるものであり、取得した音楽データはデータ記録部６に保存するように構成されている。
【００２５】
コード抽出部４は、再生部２で再生している音楽データからコード進行を抽出することができるように構成されている。なお、コード情報とは、音楽に用いられる和音であり、例えば、音楽におけるコードとして一般的なものとしてＦ、Ｇ、Ｅｍ、Ａｍ、Ｆ、Ｄ、Ｇ、等であり、一般的にはキーとも言われている。
【００２６】
選曲部５は、コード抽出部４で抽出されたコード進行に基づいて、再生中の音楽が終了した後に再生する音楽データをデータ記録部６から選曲することができるように構成されている。
【００２７】
データ記録部６は、取得部３で取得した音楽データを保存することができるように構成されている。また、コード抽出部４で抽出したコード進行を音楽データの補足データとして同時に保存することができるように構成されている。なお、データ記録部６は、フラッシュメモリ、ハードディスク等の磁気記録媒体を用いることができる。
【００２８】
また、制御部１、再生部２、取得部３、コード抽出部４、選曲部５を個々に設けた構成にしているが、一つにまとめて集積回路Ｌとして構成してもよい。
【００２９】
なお、第１の実施の形態において、データ記録部６には、補足データが追加された音楽データが複数保存されているものとして説明をする。なお、最初からデータ記憶部６に音楽データが保存されているものではなく、記録媒体を再生するたびに補足データを含めた音楽データが保存されていくものであり、本発明の実施の形態では、音楽データが蓄積された状態で説明をする。
【００３０】
次に、記録再生装置Ｐの動作についてフロー図を用いて説明する。
図２は、第１の実施の形態における記録再生装置の動作を示すフロー図である。
【００３１】
まず、記録媒体から取得部３を用いて音楽データを取得してデータ記録部６に保存する（Ｓ１）。次にデータ記録部６から音楽データを読み出して再生部２を用いて音楽を再生し（Ｓ２）、コード抽出部４を用いて再生している音楽（音楽データ）からコード情報を抽出する（Ｓ３）。抽出したコード情報は、音楽データの補足データとしてデータ記録部６に保存される（Ｓ４）。そして再生している音楽が終了部分に近づいたかどうか制御部１が判断し（Ｓ５）、音楽が終了部分ではないと判断されると（Ｓ５、ＮＯ）、再生している音楽が終了部分に近づくまで確認を繰り返す。
【００３２】
再生している音楽が終了部分に近づいたと制御部１で判断すると（Ｓ５、ＹＥＳ）、再生している音楽のコード情報と同じ又は類似した音楽データがデータ記録部６に保存されていないか選曲部５が検索を行う（Ｓ６）。そして、類似した音楽データがあると（Ｓ７、ＹＥＳ）、類似した音楽データをデータ記録部６から選曲し、現在再生している音楽の終了後に選曲した音楽データを再生する（Ｓ８）。なお、Ｓ７において、類似した音楽データが無いと選曲部５を介して制御部１が判断すると（Ｓ７）、再生している音楽データのコード情報に関係なく、再生している音楽が終了後にデータ記録部６に保存されている音楽データを再生する（Ｓ９）。なお、音楽の終了部分とは、例えば、曲長の半分以下や音楽終了部分までの１０秒前、１５秒前などのことを示す。
【００３３】
このように構成された第１の実施の形態における記録再生装置Ｐは、記録媒体から取得部３を用いて音楽データを取得してデータ記録部６に保存すると共に、データ記録部６に保存された音楽データを再生すると同時にコード抽出部４でコード情報を抽出し、音楽データの補足データとして保存し、再生している音楽データが終了部分に近づいたことを制御部１が検出すると、データ記録部６に保存されている音楽データの中で現在再生しているコード情報と類似するものがあるか選曲部５で選曲し、現在再生している音楽が終了し
た後に類似したコード情報を持つ音楽データを再生することができる。
【００３４】
（第２の実施の形態）
次に、第２の実施の形態について図面を用いて説明する。
図３は、第２の実施の形態における記録再生装置の構成を示すブロック図である。  
【００３５】
第２の実施の形態における記録再生装置Ｐ１は、制御部１１、取得部１２、再生部１３、音楽情報検出部１４、選曲部１５、データ記録部１６を備えて構成されている。
なお、制御部１１、取得部１２、再生部１３、選曲部１５、データ記録部１６は、第１の実施の形態と同様であり詳細な説明は省略する。
【００３６】
ここで、音楽情報検出部１４は、再生部１３で再生している音楽データからコード情報及びテンポ情報を検出して抽出し、音楽情報検出部１４で検出したコード情報及びテンポ情報を音楽データの補足データとしてデータ記録部１６に保存することができるように構成されている。なお、コード情報とは、音楽に用いられる和音であり、例えば、音楽におけるコードとして一般的なものとしてＦ、Ｇ、Ｅｍ、Ａｍ、Ｆ、Ｄ、Ｇ、があり、一般的にはキーとも言われている。また、テンポ情報とは、一般的に音楽で用いられるスローテンポ、ミディアムテンポ、アップテンポなどを示す楽曲の速度であり、ＢＰＭやＢＥＡＴ等と一般的に使用され標記されるものである。
【００３７】
また、制御部１１、取得部１２、再生部１３、音楽情報検出部１４、選曲部１５を個々に設けた構成にしているが、一つにまとめて集積回路Ｌ１として構成してもよい。
【００３８】
なお、第２の実施の形態において、データ記録部１６には、補足データが追加された音楽データが複数保存されているものとして説明をすすめる。
【００３９】
次に、記録再生装置Ｐ１の動作についてフロー図を用いて説明する。
図４は、第２の実施の形態における記録再生装置の動作を示すフロー図である。
【００４０】
まず、記録媒体から音楽データを取得しデータ記録部１６に保存する（Ｓ１０）。次に、データ記録部１６から音楽データを読み出して再生部１３を用いて音楽を再生し（Ｓ１１）、音楽情報検出部１４を用いて再生している音楽のコード情報及びテンポ情報を抽出する（Ｓ１２）。音楽情報検出部１４で抽出されたコード情報及びテンポ情報は、音楽データの補足データとしてデータ記録部１６に保存され（Ｓ１３）、再生している音楽が終了部分に近いづいたかどうか制御部１１で判断し（Ｓ１４）、音楽が終了部分ではないと判断されると（Ｓ１４，ＮＯ）、再生している音楽が終了部分に近づくまで確認を繰り返す。
【００４１】
また、再生している音楽が終了部分に近づいたと制御部１１で判断すると（Ｓ１４、ＹＥＳ）、再生している音楽のコード情報及びテンポ情報と同じ又は類似した音楽データがデータ記録部１６に保存されていないか選曲部１５が検索を行う（Ｓ１５）。そして、類似した音楽データがデータ記録部１６に保存されている音楽データの中に再生している音楽と同じ又は類似した音楽データがあると（Ｓ１６、ＹＥＳ）、現在再生している音楽の終了後に選曲部１５で選曲された音楽データを再生する（Ｓ１７）。なお、Ｓ１６において、類似した音楽データが無い場合には（Ｓ７）、再生している音楽データのコード情報及びテンポ情報に関係なく、再生している音楽の終了後にデータ記録部６に保存されている音楽データを再生する（Ｓ１８）。
【００４２】
このように構成された第２の実施の形態における記録再生装置Ｐ１は、データ記録部１６に保存された音楽データを再生すると同時に音楽情報検出部１４でコード情報及びテン
ポ情報を抽出すると共に音楽データの補足データとして保存し、再生している音楽データが終了部分に近づいたことを制御部１１が検出すると、データ記録部１６に保存されている音楽データの中で現在再生しているコード情報及びテンポ情報と同じ又は類似するものがあるか選曲部５が自動的に検索し、同じ又は類似した音楽データがあるときには、現在再生している音楽が終了した後に選曲部５で選曲した音楽データを再生することができる。
【００４３】
また、第２の実施の形態において再生している音楽が終了部分に近づいたときに、次に再生する音楽をデータ記録部６から検索するとしたが、本発明を限定するものではなく、例えば、再生している音楽の曲長が半分以上経過した後に再生している音楽データのコード進行と一致する音楽をデータ記録部６から検索し、検索された音楽データを現在再生している音楽データのコード進行と一致する箇所で自動的に切替えて再生するように構成しても同様の効果を得ることができる。
【００４４】
次に、第３の実施の形態について詳細な説明をする。
図５は、第３の実施の形態の記録再生装置の構成を示すブロック図である。
【００４５】
図５に示すように、第３の実施の形態の記録再生装置Ｐ２は、制御部２０、再生部２１、音楽データ情報取得部２２、情報記録部２３（データ記録部６、１６）、選曲部２４で構成されている。
【００４６】
ここで、制御部２０は、記録再生装置Ｐ２を制御すると共に、再生部２１、音楽データ情報取得部２２、情報記録部２３、選曲部２４を制御することができるように構成されている。
再生部２１は、情報記録部２３に保存された音楽データを再生するものである。
また、制御部２０、再生部２１、情報取得部２２、音楽データ情報取得部２２、選曲部２４を個々に設けているが、特に限定するものではなく一つにまとめた集積回路Ｌ２として構成してもよい。
【００４７】
音楽データ情報取得部２２は、記録媒体から音楽データを取得すると同時にコード情報を取得して情報記録部２３に音楽データと音楽データの補足データとしてコード情報を同時に保存することができるように構成されている。
【００４８】
情報記録部２３（データ記録部６、１６）は、音楽データ取得部２２で取得した音楽データとコード情報を保存することができるように構成されている。なお、第３の実施の形態では、情報記録部２３に複数のコード情報をもった音楽データが予め保存されている状態として説明する。
【００４９】
選曲部２４は、再生している音楽のコード情報に応じて情報記録部２３に類似又は同じコード情報を持つ音楽データを選曲することができるように構成されている。
【００５０】
次に、記録再生装置Ｐ２の動作についてフロー図を用いて説明する。
図６は、第３の実施の形態における記録再生装置の動作を示すフロー図である。図７は、コード情報テーブルを示した模式図である。
【００５１】
まず、記録媒体から音楽データ情報取得部２２を用いて音楽データとコード情報を抽出して（Ｓ２０）、情報記録部２３に保存する（Ｓ２１）。次に、情報記録部２３から音楽データを読み出して再生部２１を用いて音楽を再生する（Ｓ２２）。そして、再生している音楽が終了部分に近づいたかどうかを制御部２０が判断し（Ｓ２３）、音楽が終了部分ではないと判断されると（Ｓ２３，ＮＯ）、再生している音楽が終了部分に近づくまで音
楽の再生位置の確認を繰り返す。
【００５２】
再生している音楽が終了部分に近づいたと制御部２０が判断すると（Ｓ２３、ＹＥＳ）、再生している音楽のコード情報と同じ又は類似した音楽データが情報記録部２３に保存されていないか選曲部２４が検索を行う（Ｓ２４）。そして、類似した音楽データが情報記録部２３にあると（Ｓ２５、ＹＥＳ）、現在再生している音楽の終了後に選曲部２４で選曲された音楽データを再生する（Ｓ２６）。なお、Ｓ２５において、類似した音楽データが無い場合には（Ｓ２５、ＮＯ）、再生している音楽データのコード情報に関係なく、再生している音楽の終了後に情報記録部２３に保存されている音楽データを再生する（Ｓ２７）。
【００５３】
このように構成された第３の実施の形態における記録再生装置Ｐ２は、記録媒体から音楽データを情報記録部２３に保存する際に、音楽データ情報取得部２２を用いてコード情報も同時に抽出して保存し、情報記録部２３に保存された音楽データを再生すると共に、再生している音楽データが終了部分に近づいたことが制御部２０で検出すると、情報記録部２３に保存されている音楽データの中から現在再生している音楽のコード情報と同じ又は類似するものがあるか選曲部２４が自動的に検索し、同じ又は類似した音楽データがあるときには、現在再生している音楽が終了した後に選曲部２４が選曲した音楽データを再生することができる。
【００５４】
なお、音楽データ情報取得部２２を用いて記録媒体から音楽データ及びテンポ情報を保存するときには、例えば、図７に示すように、Ｔｒａｃｋ名、アーティスト名、コード情報と抽出した時間を含めた複数のコード抽出位置等を保存することで、再生している音楽が終了部分に近くなったときに、選曲部２４が情報記録部２３に保存されている音楽データと比較して、現在再生している音楽の後に再生する音楽を自動的に選曲することができる。
【００５５】
また、第３の実施の形態において、再生している音楽データが終了部分に近づいたときに情報記録部２３に保存されている音楽データの中から現在再生している音楽のコード情報と同じ又は類似するものがあるか選曲部２４が自動的に検索するとしたが、本発明を限定するものではなく、例えば、再生音楽の曲長が半分以上経過したあと、現在再生している音楽データのコード進行と類似するコード進行を有した音楽データが情報記憶部２３に保存されているか検索するように構成してもよい。次にこの実施の形態についてフロー図を用いて詳細に説明する。
【００５６】
図８は、第３の実施の形態の他の形態を示すフロー図。
図８に示すように、まず、記録媒体から音楽データ情報取得部２２を用いて音楽データとコード情報を抽出して（Ｓ４０）、情報記録部２３に保存する（Ｓ４１）。次に、情報記録部２３から音楽データを読み出して再生部２１を用いて音楽を再生する（Ｓ４２）。そして、再生している音楽は曲長（曲の長さ）の半分を経過したか否かを判断し（Ｓ４３）、再生している音楽が再生してから曲長の半分を過ぎていないと判断されると（Ｓ４３，ＮＯ）、再生している音楽が曲長の半分が経過するまで音楽の再生位置の確認を繰り返す。
【００５７】
再生している音楽の曲長の半分が経過したと制御部２０が判断すると（Ｓ４３、ＹＥＳ）、再生している音楽のコード信号と同じ又は類似した音楽データが情報記録部２３に保存されていないか選曲部２４で検索を行う（Ｓ４４）。そして、類似した音楽データが情報記録部２３にあると（Ｓ２５、ＹＥＳ）、現在再生している音楽のコード進行と次に再生する音楽コードが一致する箇所で切替えて再生する（Ｓ４６）。なお、Ｓ４５において、コード進行の類似した音楽データが無い場合には（Ｓ４５、ＮＯ）、再生している音楽
データのコード進行に関係なく、再生している音楽の終了後に情報記録部２３に保存されている音楽データを再生する（Ｓ４７）。
なお、コード進行とは、個々のコード情報が組み合わさったものであり、例えば、Ｃ、Ｆ、Ｇという組み合わせである。
【００５８】
このように構成された他の実施の形態における記録再生装置は、記録媒体から音楽データを情報記録部２３に保存する際に、音楽データ情報取得部２２を用いてコード情報も同時に抽出して保存し、情報記録部２３に保存された音楽データを再生すると共に、再生している音楽データの曲長が半分以上経過した否かを判断し、半分以上経過したと制御部２０で判断すると、情報記録部２３に保存されている音楽データの中から現在再生している音楽のコード進行と同じ又は類似するものがあるか選曲部２４が自動的に検索し、同じ又は類似した音楽データがあるときには、現在再生している音楽のコード進行と次に再生する音楽のコード進行が一致するところで切替えて再生することができる。このため、コード進行が同じ又は類似するものを続けて再生することができるので、違和感がなく音楽を連続して再生して楽しむことができる。
【００５９】
次に、第４の実施の形態について図を用いて詳細に説明する。
なお、第３の実施の形態と同じ構成の箇所については詳細な説明は省略する。
【００６０】
第４の実施の形態の記録再生装置は、制御部２０、再生部２１、音楽データ情報取得部、情報記録部２３、選曲部２４で構成されている。
ここで、制御部２０、再生部２１、情報記録部２３、選曲部２４は第３の実施の形態と同様の構成であり詳細な説明は省略する。
【００６１】
第４の実施の形態における音楽データ情報取得部は、記録媒体から音楽データを取得すると同時にコード情報及びテンポ情報を同時に取得して、情報記録部２３に音楽データと音楽データの補足データとしてコード情報及びテンポ情報を同時に保存することができるように構成されている。
【００６２】
次に、第４の実施の形態における記録再生装置の動作についてフロー図を用いて説明する。図９は、第４の実施の形態における記録再生装置の動作を示すフロー図である。
【００６３】
まず、記録媒体から音楽データ情報取得部を用いて音楽データとコード情報及びテンポ情報を同時に抽出して（Ｓ３０）、情報記録部に保存する（Ｓ３１）。次に、情報記録部から音楽データを読み出して再生部を用いて音楽を再生する（Ｓ３２）。そして、再生している音楽が終了部分に近づいたかどうかを制御部が判断し（Ｓ３３）、音楽が終了部分ではないと判断されると（Ｓ３３，ＮＯ）、再生している音楽が終了部分に近づくまで音楽の再生位置の確認を繰り返す。
【００６４】
再生している音楽が終了部分に近づいたと制御部が判断すると（Ｓ３３、ＹＥＳ）、再生している音楽のコード情報及びテンポ情報と同じ又は類似した音楽データが情報記録部に保存されていないか選曲部が検索を行う（Ｓ３４）。そして、類似した音楽データが情報記録部にあると（Ｓ３５、ＹＥＳ）、現在再生している音楽の終了後に選曲部で選曲された音楽データを再生する（Ｓ３６）。なお、Ｓ３５において、類似した音楽データが無い場合には（Ｓ３５、ＮＯ）、再生している音楽データのコード情報及びテンポ情報に関係なく、再生している音楽の終了後に情報記録部に保存されている音楽データを再生する（Ｓ３７）。
【００６５】
このように構成された第４の実施の形態における記録再生装置は、記録媒体から音楽データを情報記録部２３に保存する際に、音楽データ情報取得部を用いてコード情報及びテ
ンポ情報も同時に抽出して保存し情報記録部に保存された音楽データを再生すると共に、再生している音楽データが終了部分に近づいたことが制御部で検出すると、情報記録部に保存されている音楽データの中から現在再生している音楽のコード情報及びテンポ情報と同じ又は類似するものがあるか選曲部が自動的に検索し、同じ又は類似した音楽データがあるときには、現在再生している音楽が終了した後に選曲部が選曲した音楽データを再生することができる。
【００６６】
また、第４の実施の形態では、コード情報及びテンポ情報も同時に抽出して保存し情報記録部に保存された音楽データを再生し、現在再生している音楽の音楽データの再生が終了しようとするときに、次曲をコード情報及びテンポ情報に基づいて自動的に再生する音楽を選曲するように構成したが、本発明を限定するものではなく、例えば、第３の実施の形態のその他の実施形態で示したように、再生している音楽の曲長が半分以上になった後に、再生している音楽データのコード進行と一致する音楽データを検索し、再生している音楽のコード進行と次に再生する音楽のコード進行が一致したところで自動的に切替えるように構成してもよい。
【００６７】
以上のように、第１の実施の形態から第４の実施の形態まで説明したが、本発明を限定するものではなく、例えば、コード進行が予め設定されているコード情報テーブルや、再生中の音楽データのコード情報の変化を検出するコード情報変化検出部や、コード情報変化検出部で検出されたコード情報の変化とコード情報テーブルとを比較して次に遷移するコード情報を予測するコード情報予測部を備える構成にしてもよい。
【００６８】
(第５の実施の形態)
次に、コード情報検出部、コード情報予測部、コード情報テーブルを備えた記録再生装置の第５の実施の形態について図面を用いて詳細に説明する。
図１０は、第５の実施の形態の記録再生装置の構成を示すブロック図である。図１１は、コード情報テーブルの構成を示す模式図である。
【００６９】
図１０に示すように、記録再生装置Ｐ３は、制御部３０と、再生部３１と、取得部３２と、コード抽出部３３と、コード情報変化検出部３４と、コード情報予測部３５と、コード情報テーブル３６と、データ記録部３７と、選曲部３８とで構成されている。
なお、制御部３０、再生部３１、取得部３２、コード抽出部３３、コード情報変化検出部３４、コード情報予測部３５、コード情報テーブル３６、選曲部３８を個々に構成したが、一つにまとめた集積回路Ｌ３として構成してもよい。
【００７０】
ここで、制御部３０、再生部３１、取得部３２、コード抽出部３３、データ記録部３７、選曲部３８は第１の実施の形態で示した制御部１、再生部３、取得部２、コード抽出部４、データ記録部６、選曲部５と同様であり、詳細な説明は省略する。
【００７１】
コード情報変化検出部３４は、再生部３１で再生している音楽のコード情報の変化を検出するものであり、例えば、コード情報として、コードがＣからＡｍに変化した地点を検出することができるように構成されている。
【００７２】
コード情報予測部３５は、コード情報変化検出部３４において検出されたコード情報からコード情報テーブル３６を用いて次に遷移するコードを予測することができるように構成されている。
コード情報テーブル３６は、図１１に示すように直前のコードに対して次に遷移すべきコードがテーブルとして構成されている。例えば、直前のコードがＣであったときに次に遷移するコードの候補としてＣ、Ｆ、Ｇ、Ａｍ、Ｄｍ、Ｅｍ、Ｅ等としてコード進行の情報がコード情報テーブルに記録されている。
【００７３】
このように構成された第５の実施の形態における記録再生装置Ｐ３は、記録媒体から取得部３２を用いて音楽データを取得してデータ記録部３７に保存し、データ記録部３７に保存された音楽データを再生すると同時にコード抽出部３３でコード情報を抽出して音楽データの補足データとして保存する。そして、再生している音楽データのコード情報の変化をコード情報変化検出部３４で検出し、再生している音楽が終了部分に近づいたことを制御部３０が検出すると、コード情報変化検出部３４で検出されたコード情報の変化からコード情報テーブル３６に基づいて次に遷移するコードをコード情報予測部３５が予測して、データ記録部３７に保存されている音楽データの中から選曲部３８が自動的に選曲して、現在再生している音楽が終了後に選曲部３８で選曲された音楽データを再生することができる。
【００７４】
また、第５の実施の形態では、データ記録部３７に保存された音楽データを再生する際にコード情報の変化を検出し、コード情報テーブル３６に基づいて次に遷移するコード情報を予測して選曲部３８で自動的に選曲していたが、本発明を限定するものではなく、データ記録部３７に音楽データを保存する際に同時にコード抽出部３３でコード情報を抽出して音楽データの補足データとして同時に保存し、再生するときに、補足データとして保存されているコード情報から音楽のコード情報の変化をコード情報変化検出部３４で検出し、次曲に再生する音楽を選曲部３８で自動的に選曲するように構成してもよい。特に、音楽データの再生中に、利用者によって早送りや意図的に次曲を再生するようしたときには、音楽データと共に保存されているコード情報に基づいてコード情報予測部３５が予測するので、次に再生する音楽データを選曲部３８を用いて自動的に選曲して再生することができる。
【００７５】
（第６の実施の形態）
次に、第６の実施の形態について図面を用いて説明する。
図１２は、第６の実施の形態の記録再生装置の構成を示すブロック図である。
図１１に示すように、記録再生装置Ｐ４は、制御部４０と、再生部４１と、取得部４２と、コード抽出部４３と、コード情報テーブル４４と、コード情報予測部４５と、選曲部４６と、データ記録部４７とで構成されている。
なお、制御部４０、再生部４１、取得部４２、コード抽出部４３、コード情報テーブル４４、コード情報予測部４５、選曲部４６を個々に構成しているが、一つにまとめた集積回路Ｌ４として構成してもよい。
【００７６】
このように構成された第６の実施の形態の記録再生装置Ｐ４は、記録媒体から音楽データを取得部４２で取得してデータ記録部４７に保存し、データ記録部４７に保存された音楽データから再生部４１を用いて再生する。そして再生している音楽データ（音楽）のコード情報をコード情報抽出部４３で抽出し、抽出されたコード情報から次に遷移するコード情報をコード情報予測部４５で予測する際にコード情報テーブル４４を用いて予測することで、再生している音楽データが終了部分に近くなったと制御部４０が判断すると、コード情報予測部４４で予測されたコード情報に基づいて選曲部４６が次曲を自動的に選曲して再生することができる。
【００７７】
以上より、第１の実施の形態から第６の実施の形態までを説明したが、本発明を限定するものではなく、種々の変更をしても同様の効果を得ることができる。
例えば、第１の実施の形態から第４の実施の形態において、図１１に示したようなコード情報テーブルを備える構成にしても同様の効果を得ることができる。特に、コード情報テーブルを備えることで、音楽データからコード情報を抽出（検出）する際に利用することができる。
【００７８】
次に、コード情報を抽出する方法について説明する。図１３は、予め決まったコード情報と入力された音楽のコード情報との比較を示す模式図である。
図１３に示すように、記録再生装置には、複数の予め決められたコード情報（コード進行）の波形Ａを保持しており、このコード情報波形Ａと再生（入力）する音楽の入力音楽波形Ｂを比較してコード情報を特定することができるように構成されている。詳しくは、図１３に示すように、波形の各変化点、Ｃ１からＣ１０をそれぞれ比較するように構成されている。このように比較し、比較結果からコード情報を特定することができる。
【００７９】
また、第１の実施の形態から第４の実施の形態において、コード情報予測部を備えるように構成してもよい。このように構成することで、利用者によって再生している音楽の変更が加えられても、コード情報予測部で予測して次に再生する音楽を自動的に選曲して再生することができる。
【００８０】
さらに、第１の実施の形態から第４の実施の形態において、例えば、コード情報変化検出部を備え、データ記憶部や情報記憶部に音楽データと共に保存するように構成しても同様の効果を得ることができる。特に、図７に示すようにコード情報の変化したコードや場所を詳細に保存することで、利用者によって再生している音楽が先送りや次曲に送られても、柔軟に対応して再生する音楽を選曲することができる。
【００８１】
また、再生音楽の曲長が半分以上経過したあと、現在再生している音楽データのコード進行と類似するコード進行を有した音楽データが情報記憶部２３に保存されているか検索して再生する場合において、例えば、図１４に示すように、情報記憶部２３に音楽データとコード情報を用いて、音楽を再生したときに曲長の半分以上経過した時点で次に再生する音楽のどの時間から再生すればいいのか再生リストを自動的に構築するようにしてもよい。具体的には。図１４に示すようにＴｒａｃｋＡの再生開始時刻が２秒とし、ＴｒａｃｋＡの曲長の半分以上経過した時点でのコード進行に基づいて選曲を行い、その結果選曲されたのがＴｒａｃｋＢであるとすると、ＴｒａｃｋＡのコード進行とＴｒａｃｋＢのコード進行と一致する箇所がＴｒａｃｋＡでは３分のときで、ＴｒａｃｋＢでは1分４０秒のところがコード進行が一致するというようにテーブルを作成して使用するように構成してもよい。このように構成することで、音楽データを再生しながらコード進行を比較して次に再生する音楽を検索する必要もなく前もって再生する音楽の再生リストとして所持しておくことができる。
【産業上の利用可能性】
【００８２】
以上のように、本発明は、音楽データからコード情報を検出し、再生している音楽データが終了間際になったときに、再生している音楽のコード情報と類似又は同じコード情報を自動的に検索して再生することができるという効果を有し、音楽を保存し自動的にコード情報が同じ又は類似した音楽を続けて再生することができる記録再生装置として有用である。
【図面の簡単な説明】
【００８３】
【図１】第１の実施の形態における記録再生装置の構成を示すブロック図
【図２】第１の実施の形態における記録再生装置の動作を示すフロー図
【図３】第２の実施の形態における記録再生装置の構成を示すブロック図
【図４】第２の実施の形態における記録再生装置の動作を示すフロー図
【図５】第３の実施の形態の記録再生装置の構成を示すブロック図
【図６】第３の実施の形態における記録再生装置の動作を示すフロー図
【図７】コード情報テーブルを示した模式図
【図８】第３の実施の形態の他の形態を示すフロー図
【図９】第４の実施の形態における記録再生装置の動作を示すフロー図
【図１０】第５の実施の形態の記録再生装置の構成を示すブロック図
【図１１】コード情報テーブルの構成を示す模式図
【図１２】第６の実施の形態の記録再生装置の構成を示すブロック図
【図１３】予め決まったコード情報と入力された音楽のコード情報との比較を示す模式図
【図１４】実施の形態における再生リストを示す模式図
【符号の説明】
【００８４】
１、１１、２０、３０、４０  ・・・制御部
２、１３、２１、３１、４１  ・・・再生部
３、１４  ・・・取得部
４、３３、４３  ・・・コード抽出部
５、１７、２４、３８、４６  ・・・選曲部
６、１６、３７、４７  ・・・データ記憶部
１５  ・・・音楽情報検出部
２２  ・・・音楽データ情報取得部
３４  ・・・コード情報変化検出部
３５、４５  ・・・コード情報予測部
３６、４４  ・・・コード情報テーブル
Ｐ、Ｐ１、Ｐ２、Ｐ３、Ｐ４  ・・・録音再生装置
Ｌ，Ｌ１、Ｌ２、Ｌ３、Ｌ４  ・・・集積回路
【図１】
2008052786.tif 000003
【図２】
2008052786.tif 000004
【図３】
2008052786.tif 000005
【図４】
2008052786.tif 000006
【図５】
2008052786.tif 000007
【図６】
2008052786.tif 000008
【図７】
2008052786.tif 000009
【図８】
2008052786.tif 000010
【図９】
2008052786.tif 000011
【図１０】
2008052786.tif 000012
【図１１】
2008052786.tif 000013
【図１２】
2008052786.tif 000014
【図１３】
2008052786.tif 000015
【図１４】
2008052786.tif 000016